(57)【要約】【課題】第１端子と短絡端子との接続信頼性を保持し、低コスト化することができるコネクタを提供する。【解決手段】複数の第１端子３を収容した第１ハウジング５と、第１端子３に接続可能な複数の第２端子７を収容して第１ハウジング５に嵌合可能な第２ハウジング９と、第１ハウジング５に収容され隣り合う第１端子３，３とそれぞれ接触した接触片１１，１１を有する短絡端子１３と、第２ハウジング９に設けられ接触片１１を変位させて第１端子３と接触片１１との接触を解除する解除部１５とを備えたコネクタ１において、第１端子３と接触片１１との接触面に、錫めっきを形成し、第２ハウジング９に、解除部１５より第１ハウジング５と第２ハウジング９との嵌合方向前側に配置され接触片１１を変位させて接触片１１を第１端子３に摺動させる摺動部１７を設けた。【選択図】図１
2018018730.tif 000002
【特許請求の範囲】
【請求項１】
複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、
前記第１端子と前記接触片との接触面には、錫めっきが形成され、
前記第２ハウジングには、前記解除部より前記第１ハウジングと前記第２ハウジングとの嵌合方向前側に配置され前記接触片を変位させて前記接触片を前記第１端子に摺動させる摺動部が設けられていることを特徴とするコネクタ。
【請求項２】
請求項１記載のコネクタであって、
前記摺動部は、前記短絡端子の前記接触片の間に位置されていることを特徴とするコネクタ。
【発明の詳細な説明】
【技術分野】
【０００１】
本発明は、コネクタに関する。詳細には、ハウジングに収容された複数の端子間を接続する短絡端子を有するコネクタに関する。
【背景技術】
【０００２】
従来、コネクタとしては、複数の第１端子としての雌端子を収容した第１ハウジングと、雌端子に接続可能な複数の第２端子としての雄端子を収容して第１ハウジングに嵌合可能な第２ハウジングと、第１ハウジングに収容され隣り合う雌端子とそれぞれ接触した接触片を有する短絡端子と、第２ハウジングに設けられ接触片を変位させて雌端子と接触片との接触を解除する解除部としての解除片とを備えたものが知られている（例えば、特許文献１参照）。
【０００３】
このコネクタでは、例えば、第１ハウジングに収容された複数の雌端子のうち隣り合う２つの雌端子がエアバックの作動を制御するエアバック回路に接続されている。
【０００４】
この隣り合う２つの雌端子は、第１ハウジングと第２ハウジングとが嵌合されていない状態で、第１ハウジングに収容された短絡端子の接触片と接触することにより、短絡端子を介して接続されている。
【０００５】
このように第１ハウジングと第２ハウジングとが嵌合していない状態で、短絡端子を介して２つの雌端子同士を接続することにより、２つの雌端子間に電位差を生じることがなく、エアバックの誤爆を防止している。
【０００６】
この２つの雌端子と短絡端子との接続は、第１ハウジングと第２ハウジングとを嵌合することにより、第２ハウジングの解除片によって短絡端子の接触片が変位されて雌端子と接触片との接触が解除され、２つの雌端子と短絡端子との接続が解除される。
【先行技術文献】
【特許文献】
【０００７】
【特許文献１】特開２００７−７３２６８号公報
【発明の概要】
【発明が解決しようとする課題】
【０００８】
ところで、上記特許文献１のようなコネクタでは、第１ハウジングと第２ハウジングとが嵌合するときに、解除部によって短絡端子の接触片を変位させている。
【０００９】
このようなコネクタでは、接触片の第１端子に対する接触荷重が大きい場合、第１ハウジングと第２ハウジングとの嵌合力が大きくなってしまうが、接触片の接触荷重を小さくすると、第１端子と短絡端子との接続信頼性が低下する恐れがあった。
【００１０】
このため、上記特許文献１のコネクタでは、接触片の接触荷重を小さくし、接続信頼性を得るために第１端子と接触片との接触面に金めっきを形成させているが、金めっきは高価であり、高コスト化していた。
【００１１】
そこで、この発明は、第１端子と短絡端子との接続信頼性を保持し、低コスト化することができるコネクタの提供を目的としている。
【課題を解決するための手段】
【００１２】
請求項１記載の発明は、複数の第１端子を収容した第１ハウジングと、前記第１端子に接続可能な複数の第２端子を収容して前記第１ハウジングに嵌合可能な第２ハウジングと、前記第１ハウジングに収容され隣り合う前記第１端子とそれぞれ接触した接触片を有する短絡端子と、前記第２ハウジングに設けられ前記接触片を変位させて前記第１端子と前記接触片との接触を解除する解除部とを備えたコネクタであって、前記第１端子と前記接触片との接触面には、錫めっきが形成され、前記第２ハウジングには、前記解除部より前記第１ハウジングと前記第２ハウジングとの嵌合方向前側に配置され前記接触片を変位させて前記接触片を前記第１端子に摺動させる摺動部が設けられていることを特徴とする。
【００１３】
このコネクタでは、第１端子と接触片との接触面に、錫めっきが形成されているので、金めっきより安価にすることができるが、第１端子と接触片との接触面に接触抵抗を増大させる酸化膜が形成される。
【００１４】
この酸化膜は、第２ハウジングに、接触片を変位させて接触片を第１端子に摺動させる摺動部が設けられているので、摺動部による接触片と第１端子との摺動によって除去され、第１端子と接触片とを新生面で接触させることができる。
【００１５】
従って、このようなコネクタでは、接触片の接触荷重を小さくし、第１端子と接触片との接触面に安価な錫めっきを形成させても、摺動部による接触片と第１端子との摺動によって酸化膜を除去でき、第１端子と短絡端子との接続信頼性を保持し、低コスト化することができる。
【００１６】
請求項２記載の発明は、請求項１記載のコネクタであって、前記摺動部は、前記短絡端子の前記接触片の間に位置されていることを特徴とする。
【００１７】
このコネクタでは、摺動部が、短絡端子の接触片の間に位置されているので、１つの摺動部によって２つの接触片を変位させることができ、摺動部の大型化を抑制することができる。
【発明の効果】
【００１８】
本発明によれば、第１端子と短絡端子との接続信頼性を保持し、低コスト化することができるコネクタを提供することができるという効果を奏する。
【図面の簡単な説明】
【００１９】
【図１】本発明の実施の形態に係るコネクタの断面図である。
【図２】本発明の実施の形態に係るコネクタの第１ハウジングの分解斜視図である。
【図３】本発明の実施の形態に係るコネクタの第１ハウジングの断面図である。
【図４】本発明の実施の形態に係るコネクタの第２ハウジングの分解斜視図である。
【図５】本発明の実施の形態に係るコネクタの第２ハウジングの断面図である。
【図６】本発明の実施の形態に係るコネクタの第２ハウジングの斜視図である。
【図７】図６の要部拡大図である。
【図８】（ａ）は本発明の実施の形態に係るコネクタの短絡端子の正面図である。（ｂ）は本発明の実施の形態に係るコネクタの短絡端子の側面図である。
【図９】本発明の実施の形態に係るコネクタの短絡端子の接触片の間に摺動部を挿入するときの断面図である。
【図１０】本発明の実施の形態に係るコネクタの短絡端子の接触片の間に摺動部を挿入したときの断面図である。
【発明を実施するための形態】
【００２０】
図１〜図１０を用いて本発明の実施の形態に係るコネクタについて説明する。
【００２１】
本実施の形態に係るコネクタ１は、複数の第１端子３を収容した第１ハウジング５と、第１端子３に接続可能な複数の第２端子７を収容して第１ハウジング５に嵌合可能な第２ハウジング９と、第１ハウジング５に収容され隣り合う第１端子３，３とそれぞれ接触した接触片１１，１１を有する短絡端子１３と、第２ハウジング９に設けられ接触片１１を変位させて第１端子３と接触片１１との接触を解除する解除部１５とを備えている。
【００２２】
そして、第１端子３と接触片１１との接触面には、錫めっきが形成され、第２ハウジング９には、解除部１５より第１ハウジング５と第２ハウジング９との嵌合方向前側に配置され接触片１１を変位させて接触片１１を第１端子３に摺動させる摺動部１７が設けられている。
【００２３】
また、摺動部１７は、短絡端子１３の接触片１１，１１の間に位置されている。
【００２４】
図１〜図１０に示すように、複数の第１端子３は、それぞれタブ状の接続部を有する雄型端子からなり、エアバックの作動を制御するエアバック回路に接続された複数の電線１９の端末部にそれぞれ電気的に接続されている。
【００２５】
この複数の第１端子３は、第１ハウジング５に形成された開口から第１ハウジング５に挿入され、第１ハウジング５内に収容される。
【００２６】
第１ハウジング５は、合成樹脂などの絶縁性材料からなり、第１端子３を挿入させる開口と反対側に内部に第２ハウジング９を嵌合可能な第１嵌合部２１が設けられ、この第１嵌合部２１の底部側に第１端子３を収容する複数の第１端子収容室２３が設けられている。
【００２７】
この第１ハウジング５の複数の第１端子収容室２３内には、それぞれ第１端子３を係止する第１係止ランス２５が撓み可能に設けられ、この複数の第１端子収容室２３に連通された孔部に第１スペーサ２７を挿入することにより複数の第１端子３が二重係止される。
【００２８】
このような第１ハウジング５内に収容された複数の第１端子３は、第１ハウジング５の第１嵌合部２１に第２ハウジング９が嵌合することにより、第２ハウジング９に収容された複数の第２端子７に接続される。
【００２９】
複数の第２端子７は、それぞれ第１端子３のタブ状の接続部を挿入可能な箱状の接続部を有する雌型端子からなり、電源や機器などに接続された複数の電線２９の端末部にそれぞれ電気的に接続されている。
【００３０】
この複数の第２端子７は、第２ハウジング９に形成された開口から第２ハウジング９に挿入され、第２ハウジング９内に収容される。
【００３１】
第２ハウジング９は、合成樹脂などの絶縁性材料からなり、第２端子７を挿入させる開口と反対側に第１ハウジング５の第１嵌合部２１内に挿入可能な第２嵌合部３１が設けられ、この第２嵌合部３１の内部に第２端子７を収容する複数の第２端子収容室３３が設けられている。
【００３２】
この第２ハウジング９の複数の第２端子収容室３３内には、それぞれ第２端子７を係止する第２係止ランス３５が撓み可能に設けられ、この複数の第２端子収容室３３に連通された孔部に第２スペーサ３７を挿入することにより複数の第２端子７が二重係止される。
【００３３】
ここで、第２ハウジング９の電線２９の引出部側の外周には、第２ハウジング９に撓み可能な係止部３９を介して仮係止位置（図５参照）にキャップハウジング４１が組付けられている。
【００３４】
このキャップハウジング４１は、第１ハウジング５と第２ハウジング９とが半嵌合である場合、仮係止位置から移行することができず、第１ハウジング５と第２ハウジング９とが嵌合した場合、係止部３９の係止位置が移行し、本係止位置（図１参照）に移行する。
【００３５】
このようなキャップハウジング４１の仮係止位置と本係止位置との移行により、第１ハウジング５と第２ハウジング９との嵌合状態を検知することができる。
【００３６】
このような第２ハウジング９は、第２嵌合部３１が第１ハウジング５の第１嵌合部２１と嵌合することにより、第１ハウジング５に収容された第１端子３と第２ハウジング９に収容された第２端子７とが電気的に接続される。
【００３７】
ここで、メンテナンスなどによって、第１ハウジング５と第２ハウジング９との嵌合を解除した状態では、エアバック回路に接続された第１ハウジング５に収容された複数の第１端子３の間に、静電気などによって電位差が生じるとエアバックが誤爆する恐れがあった。
【００３８】
そこで、複数の第１端子３の間に電位差を生じなくさせるために、複数の第１端子３のうち隣り合う２つの第１端子３，３を電気的に接続する複数の短絡端子１３が第１ハウジング５に収容されている。
【００３９】
複数の短絡端子１３は、それぞれプレス加工や折り曲げ加工を施された１枚の導電性材料からなり、端部に弾性変形可能な２つの接触片１１，１１を有している。
【００４０】
この接触片１１は、上下方向、左右方向のいずれの方向にも弾性変形可能に設けられ、自由端側に、第１ハウジング５内に収容された状態で第１端子３に向けて突出された接点部４５が設けられている。
【００４１】
この接点部４５は、隣り合う２つの第１端子３，３の外周面に接触片１１の所定の付勢力によって接触され、隣り合う２つの第１端子３，３が短絡端子１３を介して電気的に接続された状態となる。
【００４２】
このように短絡端子１３を介して２つの第１端子３，３の間を電気的に接続することにより、２つの第１端子３，３の間に電位差が生じることがなく、エアバックの誤爆を防止することができる。
【００４３】
このような短絡端子１３の接触片１１は、第１ハウジング５と第２ハウジング９とが嵌合された状態で、第２ハウジング９に設けられた解除部１５によって変位され、接点部４５と第１端子３との接触が解除された状態となる。
【００４４】
解除部１５は、第２ハウジング９の第１ハウジング５との嵌合方向の前側に配置されると共に、第２ハウジング９が第１ハウジング５と嵌合するときに第１ハウジング５に収容された複数の短絡端子１３の接触片１１と当接可能な位置に配置され、第２ハウジング９と連続する一部材で複数形成されている。
【００４５】
この解除部１５は、第１ハウジング５側の先端側に、第１ハウジング５側から第２ハウジング９側に向けて上り傾斜となる傾斜面を有している。
【００４６】
このような解除部１５は、第１ハウジング５と第２ハウジング９とが嵌合するときに、先端が短絡端子１３の接触片１１の自由端側に当接し、第１ハウジング５と第２ハウジング９との嵌合が進むと、接触片１１の自由端側が傾斜面に沿って摺動し、接触片１１が上方に向けて変位される。
【００４７】
この解除部１５による接触片１１の変位により、接触片１１の接点部４５と第１端子３との接触が解除され、隣り合う第１端子３，３の間の電気的な接続が解除され、第１ハウジング５と第２ハウジング９とが嵌合すると、第１端子３と第２端子７とが電気的に接続される。
【００４８】
このようなコネクタ１において、第１ハウジング５と第２ハウジング９との嵌合力を低減させるために、短絡端子１３の接触片１１の付勢力が低減されており、製造コストを低減するために、第１端子３と短絡端子１３の接触片１１との接触面に、金めっきよりも安価な錫めっきが形成されている。
【００４９】
しかしながら、錫めっきは、金めっきよりも安価ではあるが、表面に酸化膜が形成されてしまい、第１端子３と接触片１１との接触抵抗が増大して接続信頼性が低下する恐れがあった。
【００５０】
そこで、錫めっきの表面に形成された酸化膜を除去するために、第２ハウジング９には、摺動部１７が設けられている。
【００５１】
摺動部１７は、第２ハウジング９と連続する一部材で第１ハウジング５と第２ハウジング９との嵌合方向に沿ってリブ状に設けられ、第１ハウジング５側の先端が解除部１５より嵌合方向前側に配置されている。
【００５２】
この摺動部１７は、第１ハウジング５側の先端に先細りとなるテーパ面が設けられ、第１ハウジング５に収容された複数の短絡端子１３の接触片１１，１１の間にそれぞれ位置するように複数配置されている。
【００５３】
このような摺動部１７は、第１ハウジング５と第２ハウジング９とが嵌合するときに、図９，図１０に示すように、短絡端子１３の２つの接触片１１，１１の間に挿入され、両側に位置する接触片１１，１１と摺動しながら接触片１１，１１を互いに離間する方向に向けて変位させる。
【００５４】
このとき、摺動部１７は、解除部１５より嵌合方向前側に配置されているので、短絡端子１３の接触片１１，１１が解除部１５によって上方に向けて変位されておらず、接触片１１，１１の接点部４５，４５が第１端子３，３に接触した状態となっている。
【００５５】
この状態から解除部１５によって接触片１１が上方に向けて変位され、第１ハウジング５と第２ハウジング９とが嵌合した状態では、接触片１１の接点部４５と第１端子３との接触が解除された状態となる。
【００５６】
この第１ハウジング５と第２ハウジング９との嵌合状態から、メンテナンスなどによって、第１ハウジング５と第２ハウジング９との嵌合を解除すると、解除部１５と接触片１１との摺動が終了して接触片１１が下方に向けて復元し、接触片１１の接点部４５が第１端子３に接触される。
【００５７】
そして、さらに第１ハウジング５と第２ハウジング９との嵌合解除を進めると、短絡端子１３の接触片１１，１１の間から摺動部１７が抜け出し、接触片１１，１１が互いに近接する方向に向けて復元するように変位する。
【００５８】
この接触片１１，１１の変位により、接触片１１，１１の接点部４５，４５が第１端子３，３との接触面を摺動し、接点部４５と第１端子３との接触面に形成された酸化膜を除去することができる。
【００５９】
このように摺動部１７によって接触片１１の接点部４５を第１端子３に摺動させて酸化膜を除去することにより、接触片１１の接点部４５と第１端子３とが錫めっきの新生面で接触することができ、第１端子３と短絡端子１３との接続信頼性を保持することができる。
【００６０】
このようなコネクタ１では、第１端子３と接触片１１との接触面に、錫めっきが形成されているので、金めっきより安価にすることができるが、第１端子３と接触片１１との接触面に接触抵抗を増大させる酸化膜が形成される。
【００６１】
この酸化膜は、第２ハウジング９に、接触片１１を変位させて接触片１１を第１端子３に摺動させる摺動部１７が設けられているので、摺動部１７による接触片１１と第１端子３との摺動によって除去され、第１端子３と接触片１１とを新生面で接触させることができる。
【００６２】
従って、このようなコネクタ１では、接触片１１の接触荷重を小さくし、第１端子３と接触片１１との接触面に安価な錫めっきを形成させても、摺動部１７による接触片１１と第１端子３との摺動によって酸化膜を除去でき、第１端子３と短絡端子１３との接続信頼性を保持し、低コスト化することができる。
【００６３】
また、摺動部１７は、短絡端子１３の接触片１１，１１の間に位置されているので、１つの摺動部１７によって２つの接触片１１，１１を変位させることができ、摺動部１７の大型化を抑制することができる。
【００６４】
なお、本発明の実施の形態に係るコネクタでは、摺動部を短絡端子の接触片の間に位置させて１つの摺動部で２つの接触片を変位させているが、これに限らず、２つの摺動部を短絡端子の２つの接触片に対してそれぞれ設けてもよい。
【００６５】
また、解除部は、短絡端子の接触片を第１端子から離れる方向に変位させる機能のみを有しているが、これに限らず、例えば、解除部の表面に複数の凹凸部を設け、第１ハウジングと第２ハウジングとの嵌合解除の際に、接触片と第１端子との接触面に摺動して接触面に形成された酸化膜を除去する機能を解除部が有してもよい。
【符号の説明】
【００６６】
１…コネクタ
３…第１端子
５…第１ハウジング
７…第２端子
９…第２ハウジング
１１…接触片
１３…短絡端子
１５…解除部
１７…摺動部
【図１】
2018018730.tif 000003
【図２】
2018018730.tif 000004
【図３】
2018018730.tif 000005
【図４】
2018018730.tif 000006
【図５】
2018018730.tif 000007
【図６】
2018018730.tif 000008
【図７】
2018018730.tif 000009
【図８】
2018018730.tif 000010
【図９】
2018018730.tif 000011
【図１０】
2018018730.tif 000012